(57)【特許請求の範囲】
【請求項１】
ワイヤレスネットワークにおけるネットワーク要素を動作させる方法であって、
該方法は、
ａ）該ネットワーク要素が、半永続のダウンリンク送信リソースを用いて移動体装置へダウンリンクパケットを送信することと、
ｂ）該ネットワーク要素が、該移動体装置へさらなるダウンリンクパケットを送信することと
を含み、
該さらなるダウンリンクパケットを送信することは、
ｉ）該さらなるパケットを送信するためのさらなるダウンリンク送信リソースを動的に割り当てることであって、該さらなるリソースは、該移動体装置に対して定義された複数の起動期間のうちの１つの中に発生するように割り当てられる、ことと、
ｉｉ）該複数の起動期間のうちの１つの間に、信号を送信することであって、該信号は、該さらなるパケットを送信するための該さらなるダウンリンク送信リソースを定義する、ことと、
ｉｉｉ）該複数の起動期間のうちの１つの間に、該さらなるダウンリンクリソースを用いて、該さらなるダウンリンクパケットを送信することと
を含む、方法。
【請求項２】
各々の移動体装置へ信号を送信することであって、該信号は、前記移動体装置の前記複数の起動期間を定義し、該移動体装置の複数の休止期間を定義する、ことをさらに含む、請求項１に記載の方法。
【請求項３】
各々の移動体装置へ信号を送信することであって、該信号は、前記移動体装置の前記半永続のダウンリンク送信リソースを定義する、ことをさらに含む、請求項１に記載の方法。
【請求項４】
移動体装置を動作させる方法であって、
該方法は、
該移動体装置が、複数の起動期間および複数の休止期間の間、該移動体装置の受信機能を制御することであって、該複数の起動期間のうちの各々の起動期間の間、該受信機能が常に稼動し、該複数の休止期間の少なくとも一部の間、該受信機能が停止するように、該複数の起動期間は、適時に該複数の休止期間と交互に起こる、ことと、
該移動体装置が、半永続のダウンリンク送信リソース上のダウンリンクパケットを受信することと、
該移動体装置に対する各々のさらなるダウンリンクパケットに対して、
ｉ）該複数の起動期間のうちの１つの間に、信号を受信することであって、該信号は、該さらなるダウンリンクパケットを送信するためのさらなるダウンリンク送信リソースを定義する、ことと、
ｉｉ）該複数の起動期間のうちの１つの間に、該さらなるダウンリンクリソース上の該さらなるダウンリンクパケットを受信することと
を含む、方法。
【請求項５】
前記移動体装置の前記起動期間および前記休止期間を定義する信号を受信することをさらに含む、請求項４に記載の方法。
【請求項６】
前記移動体装置の前記半永続のダウンリンク送信リソースを定義する信号を受信することをさらに含む、請求項４に記載の方法。
【請求項７】
ワイヤレスネットワーク要素であって、
該ワイヤレスネットワーク要素は、
半永続のダウンリンク送信リソースを割り当てるように構成されている半永続のスケジューラと、
トランスミッタであって、該トランスミッタは、
ａ）該半永続のダウンリンク送信リソースを用いて該移動体装置へダウンリンクパケットを送信することと、
ｂ）該移動体装置に対する各々のさらなるダウンリンクパケットに対して、
ｉ）該移動体装置に対して定義された複数の起動期間のうちの１つの間に、信号を送信することであって、該信号は、該さらなるパケットを送信するためのそれぞれのさらなるダウンリンク送信リソースを定義する、ことと、
ｉｉ）該移動体装置に対して定義された該複数の起動期間のうちの１つの間に、該それぞれのさらなるダウンリンク送信リソースを用いて、該さらなるダウンリンクパケットを送信することと、
を実行するように構成されているトランスミッタと、
各々のさらなるパケットを送信するための該それぞれのさらなるダウンリンク送信リソースを動的に割り当てるように構成されている動的なスケジューラであって、該さらなるリソースは、該移動体装置に対して定義された該複数の起動期間のうちの１つの中に発生するように割り当てられる、動的なスケジューラと
を含む、ワイヤレスネットワーク要素。
【請求項８】
前記トランスミッタは、各々の移動体装置へ信号を送信するようにさらに構成され、該信号は、前記移動体装置の前記複数の起動期間を定義し、該移動体装置の複数の休止期間を定義する、請求項７に記載のワイヤレスネットワーク要素。
【請求項９】
前記トランスミッタは、各々の移動体装置へ信号を送信するようにさらに構成され、該信号は、前記移動体装置の前記半永続のダウンリンク送信リソースを定義する、請求項７に記載のワイヤレスネットワーク要素。
【請求項１０】
移動体装置であって、
該移動体装置は、
ワイヤレスアクセス無線機と、
複数の起動期間および複数の休止期間の間、該ワイヤレスアクセス無線機の受信機能を制御するように構成されている無線機マネージャであって、該複数の起動期間のうちの各々の起動期間の間、該受信機能が常に稼動し、該複数の休止期間のうちの少なくとも一部の間、該受信機能が停止するように、該複数の起動期間は、適時に該複数の休止期間と交互に起こる、無線機マネージャとを含み、
該移動体装置は、
半永続のダウンリンク送信リソース上のダウンリンクパケットを受信することと、
該移動体装置に対する各々のさらなるダウンリンクパケットに対して、
ｉ）該複数の起動期間のうちの１つの間に、信号を受信することであって、該信号は、該さらなるダウンリンクパケットを送信するためのさらなるダウンリンク送信リソースを定義する、ことと、
ｉｉ）該複数の起動期間のうちの１つの間に、該さらなるダウンリンク送信リソース上の該さらなるダウンリンクパケットを受信することと
を実行するように構成されている、移動体装置。
【請求項１１】
前記移動体装置は、該移動体装置の前記起動期間および前記休止期間を定義する信号を受信するようにさらに構成されている、請求項１０に記載の移動体装置。
【請求項１２】
前記移動体装置は、該移動体装置の前記半永続のダウンリンク送信リソースを定義する信号を受信するようにさらに構成されている、請求項１０に記載の移動体装置。
【発明の詳細な説明】
【技術分野】
【０００１】
本出願は、ワイヤレス通信に関し、さらに具体的には、ワイヤレス通信のための送信スケジューリングに関する。
【背景技術】
【０００２】
移動体装置へのダウンリンクＶｏＩＰ（ＩＰ（インターネットプロトコル）上での音声通信）通信のために、半永続のスケジューリングを用いて、周期的なＤＬ（ダウンリンク）送信リソースが、ダウンリンク上のトークスパート（ｔａｌｋ−ｓｐｕｒｔ）の間に割り当てられる。同じリソースが、各々の時間に割り当てられる。その割り当ては、トークスパートの各々の間に始められ、トークスパートとトークスパートとの間に止められる。この手法において、割り当てを要求するための明示的信号、および特定のＶｏＩＰ割り当てを授与するための明示的信号は必要とされない。移動局からのアップリンクＶｏＩＰ通信のための半永続のスケジューリングも同様である。
【０００３】
通常のＶｏＩＰトラフィックに加えて、移動体装置はまた、比較的大きいＩＰパケットを送信および伝達する能力を必要とする。そのような比較的大きいＩＰパケットは、通常のＶｏＩＰ送信の頻度に比べて相対的に希なものと考えられる。そのようなパケットは、圧縮されていないＩＰパケット、ＲＴＣＰ（Ｒｅｍｏｔｅ  Ｔｒａｎｓｍｉｔ  Ｐｏｗｅｒ  Ｃｏｎｔｒｏｌ）パケット、ＳＩＰ／ＳＤＰ（Ｓｅｓｓｉｏｎ  Ｉｎｉｔｉａｔｉｏｎ  Ｐｒｏｔｏｃｏｌ／Ｓｅｓｓｉｏｎ  Ｄｅｓｃｒｉｐｔｉｏｎ  Ｐｒｏｔｏｃｏｌ）パケットなどを含み得る。そのようなＩＰパケットは、サイズにおいて数百バイトであり得、高い優先度を有し得る。さらに、比較的大きなパケットは、ＲＲＣ（Ｒａｄｉｏ  Ｒｅｓｏｕｒｃｅ  Ｃｏｎｔｒｏｌ）信号メッセージを送信することを必要とされ得る。これの例は、測定レポートのようなメッセージに関連した接続移行である。ＶｏＩＰに加えて事例サービスが、Ｅメール、ウェブブラウジングなどのような移動体装置に提供されることを必要とする混在したサービスを配信する能力を、一部の移動体装置はまた必要とする。
【発明の概要】
【課題を解決するための手段】
【０００４】
広範な見地によると、その適用は、ワイヤレスネットワークにおける一方法を提供し、複数の移動体装置のうちの各々の移動体装置に対して、その移動体装置へ送信するために、該ワイヤレスネットワークが、ａ）半永続のダウンリンク送信リソースを用いて該移動体装置へダウンリンクパケットを送信することであって、該半永続のダウンリンク送信リソースは、該移動体装置に対して定義された複数の起動期間を用いて調整される、ことと、ｂ）該移動体装置に対する各々のさらなるダウンリンクパケットまたはサブパケットに対して、ｉ）該さらなるパケットまたはサブパケットを送信するためのさらなるダウンリンク送信リソースを動的に割り当てることであって、該さらなるリソースは、該移動体装置に対して定義された該複数の起動期間のうちの１つの中に発生するように割り当てられる、ことと、ｉｉ）該移動体装置に対して定義された該複数の起動期間のうちの１つの間に、信号を送信することであって、該信号は、該さらなるパケットまたはサブパケットを送信するための該さらなるダウンリンク送信リソースを定義する、ことと、ｉｉｉ）該移動体装置に対して定義された該複数の起動期間のうちの１つの間に、該さらなるダウンリンクリソースを用いて、該さらなるダウンリンクパケットを送信することとを該方法が含む。
【０００５】
一部の実施形態において、半永続のダウンリンク送信リソースを用いて前記移動体装置へダウンリンクパケットを送信することであって、該半永続のダウンリンク送信リソースが、該移動体装置に対して定義された複数の起動期間を用いて調整される、ことは、該移動体装置を含むＶｏＩＰセッションに対するダウンリンクトークスパートの間のダウンリンクＶｏＩＰパケットを送信することを含む。
【０００６】
一部の実施形態において、各々の移動体装置へ信号を送信することであって、該信号は、前記移動体装置の前記複数の起動期間を定義し、該移動体装置の複数の休止期間を定義する、ことを該方法がさらに含む。
【０００７】
一部の実施形態において、各々の移動体装置へ信号を送信することであって、該信号は、前記移動体装置の前記半永続のダウンリンク送信リソースを定義する、ことを該方法がさらに含む。
【０００８】
一部の実施形態において、信号情報を含むブロードキャストチャネルを送信することをさらに含み、各々の移動体装置に対して、該移動体装置に対して定義された前記複数の起動期間のうちの１つの間に、信号を送信することであって、該信号が、前記さらなるダウンリンクパケットのための前記ダウンリンクリソースを定義する、ことは、該移動体装置に対して定義された該複数の起動期間のうちの１つの間に該ブロードキャストチャネルで該信号情報を送信することを含む。
【０００９】
一部の実施形態において、複数の移動体装置うちの各々の移動体装置に対して、その移動体装置から受信するために、該ワイヤレスネットワークが、ｃ）半永続のアップリンク送信リソースを用いて該移動体装置からアップリンクパケットを受信することであって、該半永続のアップリンク送信リソースは、該移動体装置に対して定義された前記複数の起動期間を用いて調整される、ことと、ｄ）該移動体装置に対する各々のさらなるアップリンクパケットまたはサブパケットに対して、ｉ）複数の該起動期間のうちの１つの間に、該さらなるアップリンクパケットまたはサブパケットを送信するためのさらなるアップリンク送信リソースに対する要求を受信することと、ｉｉ）該移動体装置に対して定義された該複数の起動期間のうちの１つの間に該さらなるアップリンク送信リソースが発生するように、該さらなるアップリンク送信リソースを動的に割り当てることと、ｉｉｉ）該移動体装置に対して定義された該複数の起動期間のうちの１つの間に該さらなるアップリンクの割り当てを定義する信号を送信することと、ｉｖ）該さらなるアップリンク送信リソースを用いて、該さらなるアップリンクパケットを受信することとを該方法がさらに含む。
【００１０】
一部の実施形態において、半永続のアップリンク送信リソースを用いて前記移動体装置からアップリンクパケットを受信することであって、該半永続のアップリンク送信リソースが、該移動体装置に対して定義された該複数の起動期間を用いて調整される、ことは、該移動体装置を含むＶｏＩＰセッションに対するアップリンクトークスパートの間のアップリンクＶｏＩＰパケットを受信することを含む。
【００１１】
一部の実施形態において、各々の移動体装置に対して、該移動体装置への信号を送信することであって、該信号は、該移動体装置のための前記半永続のアップリンクリソースを定義する、ことを該方法がさらに含む。
【００１２】
別の広範な見地によると、その適用は、ワイヤレスネットワークにおける一方法を提供し、移動体装置における方法であって、複数の起動期間および複数の休止期間の間、該移動体装置の受信機能を制御することであって、該複数の起動期間のうちの各々の起動期間の間、該受信機能が常に稼動し、該複数の休止期間の少なくとも一部の間、該受信機能が停止するように、該複数の起動期間は、適時に該複数の休止期間と交互に起こる、ことと、半永続のダウンリンク送信リソース上のダウンリンクパケットを該移動体装置において受信することであって、該半永続のダウンリンク送信リソースは、該移動体装置に対して定義された該複数の起動期間を用いて調整される、ことと、該移動体装置に対する各々のさらなるダウンリンクパケットまたはサブパケットに対して、ｉ）該複数の起動期間のうちの１つの間に、信号を受信することであって、該信号は、該さらなるダウンリンクパケットまたはサブパケットを送信するためのさらなるダウンリンク送信リソースを定義する、ことと、ｉｉ）該複数の起動期間のうちの１つの間に、該さらなるダウンリンクリソース上の該さらなるダウンリンクパケットまたはサブパケットを受信することとを該方法は含む。
【００１３】
一部の実施形態において、半永続のダウンリンク送信リソース上のダウンリンクパケットを受信することが、該移動体装置を含むＶｏＩＰセッションに対するダウンリンクトークスパートの間のＶｏＩＰダウンリンクパケットを受信することを含む。
【００１４】
一部の実施形態において、複数の起動期間および複数の休止期間の間、前記移動体装置の受信機能を制御することであって、該複数の起動期間のうちの各々の起動期間の間、該受信機能が常に稼動し、該休止期間のうちの少なくとも一部の間、該受信機能が停止するように、該複数の起動期間が、適時に該複数の休止期間と交互に起こる、ことは、再送信が予期されない場合、該複数の休止期間のうちの各々の間、受信機能を切ることを含む。
【００１５】
一部の実施形態において、該方法が、前記移動体装置の前記起動期間および前記休止期間を定義する信号を受信することをさらに含む。
【００１６】
一部の実施形態において、該方法が、前記移動体装置の前記半永続のダウンリンク送信リソースを定義する信号を受信することをさらに含む。
【００１７】
一部の実施形態において、該方法が、前記移動体装置および他の移動体装置に対する信号情報を含むブロードキャストチャネルを受信することをさらに含み、前記複数の起動期間のうちの１つの間に、信号を受信することであって、該信号が、前記さらなるダウンリンクパケットまたはサブパケットのための前記ダウンリンクリソースを定義する、ことは、該移動体装置のための該複数の起動期間のうちの１つの間に該ブロードキャストチャネルで該信号情報を受信することを含む。
【００１８】
一部の実施形態において、該方法が、全ての起動期間の間、さらなるダウンリンクパケットまたはサブパケットのためのダウンリンクリソースの動的な割り当てを示す信号情報のためのブロードキャストチャネルをモニターすることをさらに含む。
【００１９】
一部の実施形態において、全ての前記複数の起動期間の間、前記移動体装置の前記送信機能が稼動し、前記複数の休止期間のうちの少なくとも一部の間、該送信機能が停止するように、該移動体装置の該送信機能を制御することと、半永続のアップリンク送信リソースを用いて該移動体装置からアップリンクパケットを送信することであって、該半永続のアップリンク送信リソースは、該移動体装置に対して定義された該複数の起動期間を用いて調整される、ことと、該移動体装置に対する各々のさらなるアップリンクパケットまたはサブパケットに対して、ｉ）該移動体装置に対して定義された該複数の起動期間のうちの１つの間に、該さらなるアップリンクパケットまたはサブパケットを送信するためのさらなるアップリンク送信リソースに対する要求を送信することと、ｉｉ）該複数の起動期間のうちの１つの間に、信号を受信することであって、該信号は、該さらなるアップリンク割り当てを定義し、該さらなるアップリンク割り当ては、該移動体装置に対して定義された該複数の起動期間のうちの１つ以内に発生するように割り当てられる、ことと、ｉｉｉ）該複数の起動期間のうちの１つの間に、該さらなるアップリンク送信リソースを用いて該さらなるアップリンクパケットまたはサブパケットを送信することとを該方法がさらに含む。
【００２０】
一部の実施形態において、半永続のアップリンク送信リソースを用いて前記移動体装置からアップリンクパケットを送信することであって、該半永続のアップリンク送信リソースが、該移動体装置に対して定義された前記複数の起動期間を用いて調整される、ことは、該移動体装置を含むＶｏＩＰセッションに対するアップリンクトークスパートの間のＶｏＩＰアップリンクパケットを送信することを含む。
【００２１】
一部の実施形態において、該方法が、前記半永続のアップリンク送信リソースを定義する信号を受信することをさらに含む。
【００２２】
一部の実施形態において、各々のさらなるアップリンクパケットまたはサブパケットのために、さらなるアップリンク送信リソースに対する要求を送信することが、ランダムアクセスチャネルに基づくコンテンションを用いて該要求を送信することを含む。
【００２３】
広範な見地によると、その適用は、ワイヤレスネットワークを提供し、該ワイヤレスネットワークは、半永続のダウンリンクリソースを割り当てるための半永続のスケジューラであって、該半永続のダウンリンクリソースは、移動体装置に対して定義された複数の起動期間を用いて、該移動体装置への送信のために調整される、半永続のスケジューラと、トランスミッタであって、該トランスミッタは、ａ）該半永続のスケジューラによって割り当てられた該半永続のダウンリンク送信リソースを用いて該移動体装置へダウンリンクパケットを送信することと、ｂ）該移動体装置に対する各々のさらなるダウンリンクパケットまたはサブパケットに対して、ｉ）該移動体装置に対して定義された該複数の起動期間のうちの１つの間に、信号を送信することであって、該信号は、該さらなるパケットまたはサブパケットを送信するためのそれぞれのさらなるダウンリンク送信リソースを定義する、ことと、ｉｉ）該移動体装置に対して定義された該複数の起動期間のうちの１つの間に、該それぞれのさらなるダウンリンクリソースを用いて、該さらなるダウンリンクパケットを送信することと、を実行するように構成されるトランスミッタと、該それぞれのさらなるパケットまたはサブパケットを送信するための該それぞれのさらなるダウンリンク送信リソースを動的に割り当てる動的なスケジューラであって、該さらなるリソースは、該移動体装置に対して定義された該複数の起動期間のうちの１つの中に発生するように割り当てられる、動的なスケジューラとを含む。
【００２４】
広範な見地によると、その適用は、移動体装置を提供し、該移動体装置は、ワイヤレスアクセス無線機と、複数の起動期間および複数の休止期間の間、該ワイヤレスアクセス無線機の受信機能を制御する無線機マネージャであって、該複数の起動期間のうちの各々の起動期間の間、該受信機能が常に稼動し、該複数の休止期間のうちの少なくとも一部の間、該受信機能が停止するように、該複数の起動期間は、適時に該複数の休止期間と交互に起こる、無線機マネージャとを含み、該移動体装置は、半永続のダウンリンク送信リソース上のダウンリンクパケットを受信することであって、該半永続のダウンリンク送信リソースは、該移動体装置に対して定義された該複数の起動期間を用いて調整される、ことと、該移動体装置に対する各々のさらなるダウンリンクパケットまたはサブパケットに対して、ｉ）該複数の起動期間のうちの１つの間に、信号を受信することであって、該信号は、該さらなるダウンリンクパケットまたはサブパケットを送信するためのさらなるダウンリンク送信リソースを定義する、ことと、ｉｉ）該複数の起動期間のうちの１つの間に、該さらなるダウンリンクリソース上の該さらなるダウンリンクパケットまたはサブパケットを受信することとをするように構成される。
【００２５】
さらなる見地は、ワイヤレスネットワークと、基地局と、上記に要約または本明細書に詳述される１つ以上の方法を実行するワイヤレス装置とを提供する。別の実施形態は、上記に要約または本明細書に詳述される１つ以上の方法を実行を制御するためのコンピュータ読み取り可能な命令を有するコンピュータ読み取り可能な記録媒体を提供する。
（項目１）
ワイヤレスネットワークにおける方法であって、
該方法は、
複数の移動体装置のうちの各々の移動体装置に対して、その移動体装置へ送信するために、
該ワイヤレスネットワークが、
ａ）半永続のダウンリンク送信リソースを用いて該移動体装置へダウンリンクパケットを送信することであって、該半永続のダウンリンク送信リソースは、該移動体装置に対して定義された複数の起動期間を用いて調整される、ことと、
ｂ）該移動体装置に対する各々のさらなるダウンリンクパケットまたはサブパケットに対して、
ｉ）該さらなるパケットまたはサブパケットを送信するためのさらなるダウンリンク送信リソースを動的に割り当てることであって、該さらなるリソースは、該移動体装置に対して定義された該複数の起動期間のうちの１つの中に発生するように割り当てられる、ことと、
ｉｉ）該移動体装置に対して定義された該複数の起動期間のうちの１つの間に、信号を送信することであって、該信号は、該さらなるパケットまたはサブパケットを送信するための該さらなるダウンリンク送信リソースを定義する、ことと、
ｉｉｉ）該移動体装置に対して定義された該複数の起動期間のうちの１つの間に、該さらなるダウンリンクリソースを用いて、該さらなるダウンリンクパケットを送信することと
を含む、方法。
（項目２）
半永続のダウンリンク送信リソースを用いて上記移動体装置へダウンリンクパケットを送信することであって、該半永続のダウンリンク送信リソースが、該移動体装置に対して定義された複数の起動期間を用いて調整される、ことは、該移動体装置を含むＶｏＩＰセ
ッションに対するダウンリンクトークスパートの間のダウンリンクＶｏＩＰパケットを送信することを含む、項目１に記載の方法。
（項目３）
各々の移動体装置へ信号を送信することであって、該信号は、上記移動体装置の上記複数の起動期間を定義し、該移動体装置の複数の休止期間を定義する、ことをさらに含む、項目１に記載の方法。
（項目４）
各々の移動体装置へ信号を送信することであって、該信号は、上記移動体装置の上記半永続のダウンリンク送信リソースを定義する、ことをさらに含む、項目１に記載の方法。（項目５）
信号情報を含むブロードキャストチャネルを送信することをさらに含み、
各々の移動体装置に対して、該移動体装置に対して定義された上記複数の起動期間のうちの１つの間に、信号を送信することであって、該信号が、上記さらなるダウンリンクパケットのための上記ダウンリンクリソースを定義する、ことは、該移動体装置に対して定義された該複数の起動期間のうちの１つの間に該ブロードキャストチャネルで該信号情報を送信することを含む、項目１に記載の方法。
（項目６）
複数の移動体装置うちの各々の移動体装置に対して、その移動体装置から受信するために、
該ワイヤレスネットワークが、
ｃ）半永続のアップリンク送信リソースを用いて該移動体装置からアップリンクパケットを受信することであって、該半永続のアップリンク送信リソースは、該移動体装置に対して定義された上記複数の起動期間を用いて調整される、ことと、
ｄ）該移動体装置に対する各々のさらなるアップリンクパケットまたはサブパケットに対して、
ｉ）複数の該起動期間のうちの１つの間に、該さらなるアップリンクパケットまたはサブパケットを送信するためのさらなるアップリンク送信リソースに対する要求を受信することと、
ｉｉ）該移動体装置に対して定義された該複数の起動期間のうちの１つの間に該さらなるアップリンク送信リソースが発生するように、該さらなるアップリンク送信リソースを動的に割り当てることと、
ｉｉｉ）該移動体装置に対して定義された該複数の起動期間のうちの１つの間に該さらなるアップリンクの割り当てを定義する信号を送信することと、
ｉｖ）該さらなるアップリンク送信リソースを用いて、該さらなるアップリンクパケットを受信することと
をさらに含む、項目１に記載の方法。
（項目７）
半永続のアップリンク送信リソースを用いて上記移動体装置からアップリンクパケットを受信することであって、該半永続のアップリンク送信リソースが、該移動体装置に対して定義された該複数の起動期間を用いて調整される、ことは、該移動体装置を含むＶｏＩＰセッションに対するアップリンクトークスパートの間のアップリンクＶｏＩＰパケットを受信することを含む、項目６に記載の方法。
（項目８）
各々の移動体装置に対して、該移動体装置への信号を送信することであって、該信号は、該移動体装置のための上記半永続のアップリンクリソースを定義する、ことをさらに含む、項目６に記載の方法。
（項目９）
移動体装置における方法であって、
該方法は、
複数の起動期間および複数の休止期間の間、該移動体装置の受信機能を制御することで
あって、該複数の起動期間のうちの各々の起動期間の間、該受信機能が常に稼動し、該複数の休止期間の少なくとも一部の間、該受信機能が停止するように、該複数の起動期間は、適時に該複数の休止期間と交互に起こる、ことと、
半永続のダウンリンク送信リソース上のダウンリンクパケットを該移動体装置において受信することであって、該半永続のダウンリンク送信リソースは、該移動体装置に対して定義された該複数の起動期間を用いて調整される、ことと、
該移動体装置に対する各々のさらなるダウンリンクパケットまたはサブパケットに対して、
ｉ）該複数の起動期間のうちの１つの間に、信号を受信することであって、該信号は、該さらなるダウンリンクパケットまたはサブパケットを送信するためのさらなるダウンリンク送信リソースを定義する、ことと、
ｉｉ）該複数の起動期間のうちの１つの間に、該さらなるダウンリンクリソース上の該さらなるダウンリンクパケットまたはサブパケットを受信することと
を含む、方法。
（項目１０）
半永続のダウンリンク送信リソース上のダウンリンクパケットを受信することが、該移動体装置を含むＶｏＩＰセッションに対するダウンリンクトークスパートの間のＶｏＩＰダウンリンクパケットを受信することを含む、項目９に記載の方法。
（項目１１）
複数の起動期間および複数の休止期間の間、上記移動体装置の受信機能を制御することであって、該複数の起動期間のうちの各々の起動期間の間、該受信機能が常に稼動し、該休止期間のうちの少なくとも一部の間、該受信機能が停止するように、該複数の起動期間が、適時に該複数の休止期間と交互に起こる、ことは、
再送信が予期されない場合、該複数の休止期間のうちの各々の間、受信機能を切ることを含む、項目１０に記載の方法。
（項目１２）
上記移動体装置の上記起動期間および上記休止期間を定義する信号を受信することをさらに含む、項目９に記載の方法。
（項目１３）
上記移動体装置の上記半永続のダウンリンク送信リソースを定義する信号を受信することをさらに含む、項目９に記載の方法。
（項目１４）
上記移動体装置および他の移動体装置に対する信号情報を含むブロードキャストチャネルを受信することをさらに含み、
上記複数の起動期間のうちの１つの間に、信号を受信することであって、該信号が、上記さらなるダウンリンクパケットまたはサブパケットのための上記ダウンリンクリソースを定義する、ことは、該移動体装置のための該複数の起動期間のうちの１つの間に該ブロードキャストチャネルで該信号情報を受信することを含む、項目９に記載の方法。
（項目１５）
全ての起動期間の間、さらなるダウンリンクパケットまたはサブパケットのためのダウンリンクリソースの動的な割り当てを示す信号情報のためのブロードキャストチャネルをモニターすることをさらに含む、項目１４に記載の方法。
（項目１６）
全ての上記複数の起動期間の間、上記移動体装置の上記送信機能が稼動し、上記複数の休止期間のうちの少なくとも一部の間、該送信機能が停止するように、該移動体装置の該送信機能を制御することと、
半永続のアップリンク送信リソースを用いて該移動体装置からアップリンクパケットを送信することであって、該半永続のアップリンク送信リソースは、該移動体装置に対して定義された該複数の起動期間を用いて調整される、ことと、
該移動体装置に対する各々のさらなるアップリンクパケットまたはサブパケットに対し
て、
ｉ）該移動体装置に対して定義された該複数の起動期間のうちの１つの間に、該さらなるアップリンクパケットまたはサブパケットを送信するためのさらなるアップリンク送信リソースに対する要求を送信することと、
ｉｉ）該複数の起動期間のうちの１つの間に、信号を受信することであって、該信号は、該さらなるアップリンク割り当てを定義し、該さらなるアップリンク割り当ては、該移動体装置に対して定義された該複数の起動期間のうちの１つ以内に発生するように割り当てられる、ことと、
ｉｉｉ）該複数の起動期間のうちの１つの間に、該さらなるアップリンク送信リソースを用いて該さらなるアップリンクパケットまたはサブパケットを送信することと
をさらに含む、項目９に記載の方法。
（項目１７）
半永続のアップリンク送信リソースを用いて上記移動体装置からアップリンクパケットを送信することであって、該半永続のアップリンク送信リソースが、該移動体装置に対して定義された上記複数の起動期間を用いて調整される、ことは、該移動体装置を含むＶｏＩＰセッションに対するアップリンクトークスパートの間のＶｏＩＰアップリンクパケットを送信することを含む、項目１６に記載の方法。
（項目１８）
上記半永続のアップリンク送信リソースを定義する信号を受信することをさらに含む、項目１７に記載の方法。
（項目１９）
各々のさらなるアップリンクパケットまたはサブパケットのために、さらなるアップリンク送信リソースに対する要求を送信することが、ランダムアクセスチャネルに基づくコンテンションを用いて該要求を送信することを含む、項目１７に記載の方法。
（項目２０）
ワイヤレスネットワークであって、
該ワイヤレスネットワークは、
半永続のダウンリンクリソースを割り当てるための半永続のスケジューラであって、該半永続のダウンリンクリソースは、移動体装置に対して定義された複数の起動期間を用いて、該移動体装置への送信のために調整される、半永続のスケジューラと、
トランスミッタであって、該トランスミッタは、
ａ）該半永続のスケジューラによって割り当てられた該半永続のダウンリンク送信リソースを用いて該移動体装置へダウンリンクパケットを送信することと、
ｂ）該移動体装置に対する各々のさらなるダウンリンクパケットまたはサブパケットに対して、
ｉ）該移動体装置に対して定義された該複数の起動期間のうちの１つの間に、信号を送信することであって、該信号は、該さらなるパケットまたはサブパケットを送信するためのそれぞれのさらなるダウンリンク送信リソースを定義する、ことと、
ｉｉ）該移動体装置に対して定義された該複数の起動期間のうちの１つの間に、該それぞれのさらなるダウンリンクリソースを用いて、該さらなるダウンリンクパケットを送信することと、
を実行するように構成されるトランスミッタと、
該それぞれのさらなるパケットまたはサブパケットを送信するための該それぞれのさらなるダウンリンク送信リソースを動的に割り当てる動的なスケジューラであって、該さらなるリソースは、該移動体装置に対して定義された該複数の起動期間のうちの１つの中に発生するように割り当てられる、動的なスケジューラと
を含む、ワイヤレスネットワーク。
（項目２１）
移動体装置であって、
該移動体装置は、
ワイヤレスアクセス無線機と、
複数の起動期間および複数の休止期間の間、該ワイヤレスアクセス無線機の受信機能を制御する無線機マネージャであって、該複数の起動期間のうちの各々の起動期間の間、該受信機能が常に稼動し、該複数の休止期間のうちの少なくとも一部の間、該受信機能が停止するように、該複数の起動期間は、適時に該複数の休止期間と交互に起こる、無線機マネージャとを含み、
該移動体装置は、
半永続のダウンリンク送信リソース上のダウンリンクパケットを受信することであって、該半永続のダウンリンク送信リソースは、該移動体装置に対して定義された該複数の起動期間を用いて調整される、ことと、
該移動体装置に対する各々のさらなるダウンリンクパケットまたはサブパケットに対して、
ｉ）該複数の起動期間のうちの１つの間に、信号を受信することであって、該信号は、該さらなるダウンリンクパケットまたはサブパケットを送信するためのさらなるダウンリンク送信リソースを定義する、ことと、
ｉｉ）該複数の起動期間のうちの１つの間に、該さらなるダウンリンクリソース上の該さらなるダウンリンクパケットまたはサブパケットを受信することと
を実行するように構成される、移動体装置。
【図面の簡単な説明】
【００２６】
ここで、実施形態は、添付の図面に関連して述べられる。
【図１】図１は、動的なスケジューリング対半永続のスケジューリングを示す信号図である。
【図２】図２は、例示的なワイヤレスシステムのブロック図である。
【図３】図３は、ＤＲＸ（不連続な受信）における動的なスケジューリングのための起動期間を示す信号図である。
【図４】図４は、アップリンクおよびダウンリンクに対するＤＲＸおよびＤＴＸ（不連続な送信）を示す信号図である。
【図５】図５は、ＶｏＩＰのためのＤＲＸおよびＤＴＸの遷移を有する状態遷移図である。
【図６】図６および図７は、組み合わせられた半永続のスケジューリングおよび動的なスケジューリングを行うためのネットワークによって実行される方法のフローチャートである。
【図７】図６および図７は、組み合わせられた半永続のスケジューリングおよび動的なスケジューリングを行うためのネットワークによって実行される方法のフローチャートである。
【図８】図８および図９は、組み合わせられた半永続のスケジューリングおよび動的なスケジューリングを行うための移動体装置によって実行される方法のフローチャートである。
【図９】図８および図９は、組み合わせられた半永続のスケジューリングおよび動的なスケジューリングを行うための移動体装置によって実行される方法のフローチャートである。
【図１０】図１０は、移動体装置のブロック図である。
【発明を実施するための形態】
【００２７】
送信リソースの動的な割り当てと、それに続く、動的に割り当てられたリソースを用いた大きなパケットの送信とを可能にするために、動的なスケジューリングが提案されている。動的なスケジューリングは、パケットが送信されるそれぞれの時間をリソースに割り当てることを含み、リソースは、それぞれの割り当てに対して異なり得る。特定の例において、２００７年６月１５日に出願され、参照により本明細書にその全体が援用される出願人の同時係属の米国仮特許出願第６０／９４４，３７６号を参照されたい。
【００２８】
具体的な例において、たとえ移動体装置がＶｏＩＰセッションにのみ携わり得るとしても、動的なスケジューリングを有するＶｏＩＰをサポートする移動体装置は、動的なスケジューリングの授与のためにレイヤ１ＣＣＥ群（制御チャネル要素群）を継続的にモニターする。ＬＴＥ（Ｌｏｎｇ  Ｔｅｒｍ  Ｅｖｏｌｕｔｉｏｎ）はＣＣＥ群に関するが、その用語は、単に制御情報を意味する比較的一般的な適用を有する。
【００２９】
上記に示された通り、移動体装置は、動的なスケジューリングの授与のために、レイヤ１ＣＣＥ群を継続的にモニターすることによる動的なスケジューリングを有するＶｏＩＰをサポートし得る。残念ながら、これは、特に移動体装置に対する動的なスケジューリングの授与が非常に少ない場合、または、それが全くない場合でさえ、移動体装置のためのバッテリー電力を浪費し得る。
【００３０】
そこで、図１を参照すると、示されるのは、動的なスケジューリング対半永続のスケジューリングを示す信号図である。時間は、横軸上である。示されるのは、周期的な半永続の割り当て５０である。ＶｏＩＰ送信のために、これは、例えば、２０ｍｓごとに割り当てられたリソースを含み得る。加えて、送信される、規則的なレイヤ１ＣＣＥ群５２のセットがある。説明される例において、これらは１ｍｓごとに送信されるが、他のリソース割り当ての複数の期間および他のＣＣＥの複数の期間もあり得るということは、明確に理解されるべきである。この例は、ダウンリンク送信を想定するが、同様のアプローチは、アップリンク送信に適用される。トークスパートとトークスパートとの間で発生する複数の期間（「沈黙」または「沈黙の複数の期間」とも呼ばれる）の間に、トランスミッタおよびレシーバは、電源を切られ得る。トークスパート期間（ＶｏＩＰ送信が「活動中」または「活動中モード」である期間とも呼ばれる）の間、動的なスケジューリングのためでない場合、移動体装置は、他の時間において「休止」モードに入っていながら、予め定義された間隔（例えば、２０ｍｓごと）で半永続的に割り当てられたリソースにおけるそのデータをブラインド検出するために規則的に起動し得る。これはまた、ＤＲＸ（不連続な受信）と呼ばれ得る。これは単に、移動体装置が休止モードにあることによりバッテリー寿命の拡張になる一方で、移動体装置の無線機の受信機能が基本的に切られていることを意味する。しかし、他のデータが、ＣＣＥ群５２のうちのいずれかによって動的なスケジューリングを介して到着し得ると仮定すると、移動体装置は、全てのサブフレームのＣＣＥ群をモニターする必要がある。移動体装置が、動的なスケジューリングの授与のためにレイヤ１ＣＣＥ群をモニターすることを継続する必要があるため、全ての動的なスケジューリングの場合において、いかなる不連続な送信（ＤＴＸ）またはＤＲＸもなく、これはＤＲＸを用いる可能性を除外する。これは、電力効率化ではなく、より少ないバッテリー充電の寿命に導く。
【００３１】
バッテリー電力消費を減らすように、ＶｏＩＰの活動中モードにおけるＤＲＸを効率的にサポートするために、システムおよび方法が、ＶｏＩＰのための半永続のスケジューリングと、さらなるパケット送信のためのスケジューリング機能とを組み合わせるために提供される。
【００３２】
（半永続のスケジューリングおよびＤＲＸ制御のためのシステム）
そこで、図２を参照すると、示されるのは、例示的なワイヤレスシステム４０のブロック図である。ワイヤレスシステム４０は、ワイヤレスネットワーク２８および移動体装置１０を有する。ワイヤレスシステムはまた、他の移動体装置３０を有する。
【００３３】
移動体装置１０は、ワイヤレスアクセス無線機１２、プロセッサ１６および無線機マネージャ１４を有し、プロセッサ１６および無線機マネージャ１４は、ワイヤレスアクセス無線機１２を制御することを担う。示されていないさらなる構成要素が、存在し得る。ワイヤレスネットワーク２８は、スケジューラ３２を有し、スケジューラ３２は、半永続のスケジューラ３４および動的なスケジューラ３６を包含する。ワイヤレスネットワーク２８は、ワイヤレスアクセスを提供するための基地局（示されていない）のような構成要素を含む。スケジューラ３２は、基地局か、またはネットワーク２８の中のその他の所かにおいて存在し得る。ＬＴＥにおいて、スケジューラは、典型的にｅＮＢ（高度化されたＮｏｄｅＢ）の中に存在する。下記の例において、スケジューラ３２が基地局の一部であることが想定される。
【００３４】
説明される例において、スケジューラ３２および無線機マネージャ１４は、ソフトウェアとしてインプリメントされ、ネットワーク２８および移動体装置１０の一部をそれぞれ構成するプロセッサ上で実行される。しかし、より一般的には、これらの機能は、ソフトウェア、ハードウェア、ファームウェア、または任意の適切なそれらの組み合わせとしてインプリメントされ得る。
【００３５】
その上、ワイヤレスネットワークが、ワイヤレスネットワーク２８に適した、任意の適切な構成要素を有し得ることは理解されるべきである。ワイヤレスネットワークが回線を含み得、その回線は、移動体装置とのワイヤレス通信を提供するための構成要素に加えて、ネットワークの構成要素を相互接続する。ワイヤレスネットワークの構成要素は、インプリメンテーションの特性であり、ワイヤレスネットワークのタイプに依存し得る。ワイヤレスネットワークについての多くの実現性がある。ワイヤレスネットワークは、例えば、半永続のリソース付与を用いたＵＭＴＳネットワークまたは任意のセルラー式のネットワークであり得る。
【００３６】
運用において、移動体装置１０は、移動体装置１０とワイヤレスネットワーク２８との間のワイヤレス接続１９を渡ってワイヤレスネットワーク２８と通信する。ワイヤレスネットワーク２８との通信は、ＶｏＩＰパケット送信およびさらなるパケット送信を含む。半永続のスケジューラ３４は、移動体装置１０へのＶｏＩＰサービスのための初期のリソース割り当てを行うことを担う。これは、アップリンクの半永続の割り当ておよびダウンリンクの半永続の割り当てを含む。半永続のスケジューラ３４はまた、アップリンクおよび／またはダウンリンクと、状況に応じてアップリンクおよび／またはダウンリンクの割り当てを始めることおよび止めることとに対する進行中のトークスパートが存在するかどうかの経過を追うことを担う。割り当てを解除されている間、半永続的に割り当てられたリソースは、他の目的に供され得る。割り当てられている送信リソースの形式がインプリメンテーションの特性であることは留意されたい。用いられ得るリソースの特定の例は、ＯＦＤＭリソースおよびＣＤＭＡリソースを含み得る。動的なスケジューラ３６は、半永続の割り当てによって適応されないさらなるパケット送信のためのリソース割り当てを行うことを担う。さらなるパケットは、ＶｏＩＰサービスの一部に関係づけられるか、もしくはＶｏＩＰサービスの一部を形成し得るか、またはＶｏＩＰサービスとは無関係であり得る。
【００３７】
無線機マネージャ１４は、ワイヤレスアクセス無線機１２の稼動状態／停止状態を制御する。一部のワイヤレスアクセス無線機において、トランスミッタおよびレシーバは、一緒に電源を入れられかつ電源を切られなければならず、そのように、アップリンクおよびダウンリンクのスケジューリングは、ワイヤレスアクセス無線機が切られることを可能にするように調整されなければならない。一部のワイヤレスアクセス無線機において、受信および送信の機能は、独立して切られ得る。
【００３８】
一部の実施形態において、ネットワーク２８は、ＤＲＸ制御信号を移動体装置１０へ送信し、移動体装置１０は、繰り返しのパターンを設定し、その繰り返しのパターンは、起動期間および休止期間を有するＤＲＸ期間を有する。一例は、１５ｍｓに等しい休止期間および５ｍｓに等しい起動期間を有するＤＲＸ期間であり得る。起動期間の間、移動体装置は、そのレシーバの電源を入れる。休止期間の間、移動体装置は、そのレシーバの電源を切る。この信号は、例えば、ＶｏＩＰセッションの開始において送信され得る。
【００３９】
そこで、図３を参照すると、示されるのは、半永続および動的なスケジューリングならびにＤＲＸの例を示す信号の図である。示されるのは、半永続のＶｏＩＰ  ＤＬ送信に利用される半永続の割り当て６０である。さらに、さらなるパケットの送信を可能にするように、信号の動的な割り当てのためのレイヤ１ＣＣＥ群６２が存在する。これは、基地局からの送信を表す。その送信を受信する移動体装置は、起動状態であることと休止状態であることとを交互にする。移動体装置は、複数の起動期間６４の間、起動状態であり、移動体装置は、複数の休止期間６６の間、名目的に休止状態にある。ネットワークにおけるスケジューラが行う必要がある第１のことは、半永続の割り当て６０が複数の起動期間６４と同時に起こることを保証することである。さらに、それぞれの起動期間６４は、ＶｏＩＰの半永続の割り当てを送信するのに必要な最小値よりも長い。動的にスケジュールする機会（ＣＣＥ群６２のうちの１つにおいて信号で伝えられたとき）、およびさらなるパケットを送信する機会がまた存在する。これの例は、動的な割り当てがＣＣＥ６２−１において信号で伝えられることが示される。さらなるパケット６７は、即座に送信される次のＣＣＥ６２−１に示される。さらなるパケットは、例えば、ＲＴＣＰ（無線送信制御プロトコル（ｒａｄｉｏ  ｔｒａｎｓｍｉｓｓｉｏｎ  ｃｏｎｔｒｏｌ  ｐｒｏｔｏｃｏｌ））パケット、ＳＩＰ／ＳＤＰ（セッション開始プロトコル（ｓｅｓｓｉｏｎ  ｉｎｉｔｉａｔｉｏｎ  ｐｒｏｔｏｃｏｌ）、セッション記述プロトコル（ｓｅｓｓｉｏｎ  ｄｅｓｃｒｉｐｔｉｏｎ  ｐｒｏｔｏｃｏｌ））パケット、またはＩＰ＼ＵＤＰ＼ＲＴＰ（インターネットプロトコル＼ユーザデータグラムプロトコル＼無線送信プロトコル（ｒａｄｉｏ  ｔｒａｎｓｍｉｓｓｉｏｎ  ｐｒｏｔｏｃｏｌ））ヘッダーコンプレッションを経ていないパケットなどであり得る。移動体装置が休止状態にある間、移動体装置は、受信機能を切ることによって、ならびに／または移動体装置の受信機能および送信機能を切ることによって、電力消費低減モードで動作する。この例において、そのネットワークは、複数の起動期間６４のうちの１つの間に、さらなるパケット６７が送信されるようにスケジュールし、これを、複数の起動期間６４のうちの１つの間に送信されるＣＣＥ６２−１を用いて信号で伝える。比較的一般的に、移動体装置が休止期間の後に起動した場合、移動体装置は、半永続的に割り当てられたリソース６０でのそれ自体のＶｏＩＰデータを単にブラインド検出するだけでなく、複数の起動期間の間、全てのＣＣＥ群をまた検出し、より一般的には全てのＣＣＥ群を検出するように試みる。
【００４０】
一部の実施形態において、移動体装置が、所与の起動期間におけるＣＣＥ群のうちの１つにおいて信号を送られたときに、移動体装置に対する動的に割り当てられたリソースが存在すると判断した後に、移動体装置は、その起動期間の間、さらなるＣＣＥ群をモニターしない。
【００４１】
一部の実施形態において、基地局は、このＤＲＸのビヘイビアを用いて移動体装置を設定するために信号を送信し、その後、全ての動的なスケジューリングがこの「起動期間」においてのみ生じる。例えば、移動体装置は、１５ｍｓごとに休止し得、次いで、データを連続的に受信するために５ｍｓ間起動する。そのビヘイビアは、２０ｍｓの期間で繰り返す。５ｍｓの起動期間の間、移動体装置は、半永続的に割り当てられたリソースでそのＶｏＩＰデータをブラインド検出し、移動体装置はまた、全てのＣＣＥ群をモニターする。基地局は、この５ｍｓの起動期間の間に、このＤＲＸ構成を知り、ＲＴＣＰ、ＳＩＰ／ＳＤＰなどのような関連づけられた動的なパケットをスケジュールする。一部のインプリメンテーションにおいて、再送信が生じた場合、移動体装置は、既定値によって、連続的なモードの状態である。
【００４２】
無線機マネージャ１４は、受信機能が複数の起動期間の間に電力投入され、かつ、少なくとも複数の休止期間の一部の間電源を切られるように、ワイヤレスアクセス無線機１２の動作を制御する。下記に述べられる通り、再送信を可能にするために、複数の休止期間の一部の間、受信機能が稼動していることは必要であり得る。
【００４３】
動的なスケジューリングのための信号は、複数の起動期間の間、行われる。さらに、複数の起動期間の間、さらなるパケット送信のために割り当てられた実際のリソースが、発生するようにスケジュールされる。
【００４４】
一部の実施形態において、それが再送信のために必要になった場合、移動体装置は、動作についての連続的なモードに入る。連続的なモードの状態の間、移動体装置は、ダウンリンクチャネルを連続的に受信し、モニターし、受信機能を切らない。さらに、一部の実施形態において、混在したサービスが移動体装置へ提供されることを必要とする場合、これは、トリガーとして用いられ、それによりまた、連続的なモードの動作を可能にする。このトリガーは、加えられているサービスのトラフィックＱｏＳに依存し得る。
【００４５】
（ＤＲＸのためのダウンリンクを有する、アップリンクの半永続の調整）
上記の議論は、基地局から移動体装置へのダウンリンク送信と、休止期間の間、移動体装置の受信機能を切るための移動体装置の能力とに焦点が当てられている。しかし、一部の移動体装置群は、送信機能を稼動状態にしたままか、またはその逆にしておく間、それらの受信機能のみを切ることができない。このように、そのような装置のために、受信のための起動期間および休止期間を有することの利益を完全に実現するために、アップリンクの送信はまた、これらの複数の起動期間および休止期間を用いて調整するようにスケジュールされるべきである。この例が図４に示される。図４において、ダウンリンク送信は７８において示され、これは基本的に図３の参照とともに上記で述べられたことと同様であり、これは再度述べられない。アップリンク送信は、一般的に、８０において示される。ここで、ＶｏＩＰ  ＵＬ送信のための半永続の割り当て８２が存在する。これらは、移動体装置が起動している複数の期間６４の間に発生するようにスケジュールされる。さらに、アップリンク制御チャネルは、８４において示される。例示的な例において、これは、１ｍｓごとに発生する。移動体装置は、複数の起動期間６４の間、アップリンク制御チャネルを送信するだけである。移動体装置は、アップリンク制御チャネルを用い得、それにより、さらなるリソースに対する要求を行う。同一の起動期間の間に、アップリンクの半永続の送信およびダウンリンクの半永続の送信を発生させるようにスケジュールすることによって、移動体装置は、さらに比較的効率的なＤＲＸおよびＤＴＸ（不連続な受信および不連続な送信）のビヘイビアを実現し得る。図４の例において、移動体装置は、１５ｍｓごとに休止するように構成され、次いで、５ｍｓ間起動する。この５ｍｓの起動期間の間、移動体装置は、利用可能な場合（ＤＬのトークスパートの間）にＤＬの半永続受信を受信し、利用可能な場合（ＵＬのトークスパートの間）にアップリンクの半永続送信を行う。移動体装置はまた、全てのＤＬの授与を検出し、できるかぎりアップリンクのさらなるリソースの要求を行う。
【００４６】
再送信の場合（ＤＬまたはＵＬのどちらか）において、移動体装置は、既定値によって連続的なモードに入る。アップリンクおよびダウンリンクの両方のＶｏＩＰの半永続の割り当てが同一のトラフィック特徴（２０ｍｓごと）を有し、それゆえに基地局がＤＬおよびＵＬのための半永続の割り当てを容易に調整し得ることに留意されたい。
【００４７】
活動中モード（アップリンクまたはダウンリンク上の進行中のトークスパート）においてさえ、移動体装置は、このアプローチを用いて、その時間のうちのほとんどでＤＲＸおよびＤＴＸモードの状態であり得る。移動体装置は、起動期間の間のみ、ダウンリンク上のレイヤ１ＣＣＥ群をモニターし、アップリンク上の比較的多くのリソースを要求し得る。これは、移動体装置のためのバッテリー電力を節約し得る。ＶｏＩＰセッションの間のさらなるＩＰパケットの伝達が希であり得ることを考慮すると、バッテリーの節約は有意であり得る。欠点は、動的なスケジューリングが平均してさらに１０ｍｓだけ遅延され得ることである。
【００４８】
そこで、図５を参照すると、示されるのは、ＶｏＩＰのためのＤＲＸ／ＤＴＸの状態遷移を有する状態遷移表である。いかなるアップリンクおよびダウンリンクの送信も存在しない（すなわち、両方向において沈黙）場合、移動体装置が、起動期間の間、動的なスケジューリングのためのＤＬ  ＣＣＥ群をモニターすることを必要とするだけであることに留意すべきである。メイン状態が２つ存在する。第１のメイン状態はＵＥ休止状態１００であり、第２のメイン状態はＵＥ起動状態１０２である。例示的な例について、休止状態１００は１５ｍｓ続き、起動状態は５ｍｓ続き、それらは延長され得るが、これはさらに、インプリメンテーションの特性である。ステップ１０２−１および１０２−２は、起動状態１０２の間のダウンリンク通信のために実行される。ステップ１０２−１は、ダウンリンクＣＣＥ群の全てを受信することと、それらを、ダウンリンクの動的なスケジューリングを（与える場合に）特定するために処理することとを含む。これは、任意のダウンリンクのＶｏＩＰ送信が存在するか否かに関係なくなされる。ダウンリンクのトークスパートが進行中であるという事象において、次いで、ステップ１０２−２がまた実行される。これは、半永続のリソースにおいてＶｏＩＰのペイロードを受信することを含む。ステップ１０２−３および１０２−４は、アップリンクの送信に関して実行される。移動体装置が、それがアップリンクの送信のための動的な割り当てを必要とすると判断した場合に、１０２−３が実行されるだけである。ステップ１０２−３は、例えば、ランダムアクセスチャネルを渡ってリソース要求を行うことと、アップリンクの授与のためにダウンリンクのＣＣＥをモニターすることとを含む。さらに、進行中のアップリンクのトークスパートが存在する場合、次いで、移動体装置は、ステップ１０２−４を実行し、ステップ１０２−４は、アップリンクの送信のための半永続のリソースにおけるアップリンクのＶｏＩＰのペイロードを送信することを含む。
【００４９】
上記の説明は、半永続の割り当てを用いて送信されるトラフィックが、ＶｏＩＰトラフィックである場合の適用に焦点を当てている。比較的一般的に、同様の方法およびシステムが、動的なリソース割り当てを用いるトラフィックの送信およびスケジューリングを用いて半永続的に割り当てられたリソース上の、任意のタイプのトラフィックの送信とスケジューリングとを組み合わせるように適用され得る。
【００５０】
上記の例において、１ｍｓだけ離れたＣＣＥ群は、ダウンリンク制御チャネルのために用いられる。より一般的に、ダウンリンク制御チャネルは、任意の形式を取り得る。唯一の制限は、移動体装置のための複数の起動期間の間に、所与の移動体装置のための動的な割り当てが行われることである。同様に、少なくともその図において、アップリンク制御チャネルは、ランダムアクセスチャネルとして図示されており、ランダムアクセスチャネルは、１ｍｓだけ離れた間隔で利用可能である。より一般的に、さらなるリソース割り当てを要求するためのアップリンク制御チャネルは、任意の形式で入って来得る。所与の移動体装置からのアップリンク送信のための動的な割り当ての要求が、移動体装置のための複数の起動期間の間に送信されることを必要とすることは唯一の制限である。
【００５１】
一部の実施形態において、さらなるパケットを分割することによって形成される一連の１つ以上のサブパケットとして、さらなるパケットが送信される。これらは、レシーバで再組立てにかけられる。
【００５２】
（ワイヤレスネットワークによって実行される半永続のスケジューリングおよびＤＲＸ制御の方法）
移動体装置へダウンリンクの送信を行うためのワイヤレスネットワークにおける方法が、図６のフローチャートへの参照とともに述べられる。これらのステップは、半永続のダウンリンク送信リソース上のワイヤレスアクセスを提供されている各々の移動体装置のために行われる。半永続のダウンリンク送信リソースを用いて移動体装置へダウンリンクパケットを送信することを有するステップ６−１においてその方法は開始し、半永続のダウンリンク送信リソースは、移動体装置に対して定義された複数の起動期間を用いて調整される。これらは、移動体装置または他のものを含むＶｏＩＰセッションに対するダウンリンクトークスパートの間のダウンリンクＶｏＩＰパケットであり得る。ステップ６−２、６−３、６−４は、移動体装置のための、各々のさらなるダウンリンクパケットに対して実行される。ステップ６−２において、ワイヤレスネットワークは、さらなるパケットを送信するためのさらなるダウンリンク送信リソースを動的に割り当て、さらなるリソースは、移動体装置に対して定義された複数の起動期間のうちの１つの中に発生するように割り当てられる。ステップ６−３において、移動体装置に対して定義された複数の起動期間のうちの１つの間に、ワイヤレスネットワークは信号を送信し、信号は、さらなるパケットを送信するためのさらなるダウンリンク送信リソースを定義する。ステップ６−４において、移動体装置に対して定義された複数の起動期間のうちの１つの間に、ワイヤレスネットワークは、さらなるダウンリンクリソースを用いて、さらなるダウンリンクパケットを送信する。一部の実施形態において、ステップの全ては、基地局において行われる。他の実施形態において、集中化されたスケジューリングが行われる場合、あるステップ（例えば、動的な割り当て）は、別のネットワーク要素において行われ得る。
【００５３】
移動体装置からアップリンクの受信を行うためのワイヤレスネットワークにおける方法が、図７のフローチャートへの参照とともに述べられる。これらのステップは、半永続のダウンリンク送信リソース上のワイヤレスアクセスを提供されている各々の移動体装置のために行われる。半永続のアップリンク送信リソースを用いて移動体装置からアップリンクパケットを受信することとともにその方法は開始し、半永続のアップリンク送信リソースは、移動体装置に対して定義された複数の起動期間を用いて調整される。これらは、移動体装置または他のものを含むＶｏＩＰセッションに対するアップリンクトークスパートの間のＶｏＩＰパケットであり得る。ステップ７−２、７−３、７−４および７−５は、移動体装置のための、各々のさらなるアップリンクパケットに対して行われる。ステップ７−２において、複数の起動期間のうちの１つの間に、ワイヤレスネットワークは、さらなるアップリンクパケットを送信するためのさらなるアップリンク送信リソースに対する要求を受信する。ステップ７−３において、移動体装置に対して定義された複数の起動期間のうちの１つの間にさらなるアップリンク送信リソースが発生するように、ワイヤレスネットワークは、動的にさらなるアップリンク送信リソースを割り当てる。ステップ７−４において、移動体装置に対して定義された複数の起動期間のうちの１つの間に、ワイヤレスネットワークは、さらなるアップリンクの割り当てを定義する信号を送信する。ステップ７−５において、ワイヤレスネットワークは、さらなるアップリンク送信リソースを用いて、さらなるアップリンクパケットを受信する。
【００５４】
一部の実施形態において、ワイヤレスネットワークは、信号を各々の移動体装置へ送信し、その信号は、複数の起動期間を定義し、かつ、移動体装置の複数の休止期間を定義し、かつ／または、移動体装置の半永続のアップリンクおよび／もしくはダウンリンクの送信リソースを定義する。ＶｏＩＰのために、半永続のリソースを定義する信号は、各々のＶｏＩＰセッションの開始において行われ得る。そのような信号は、各々の移動体装置に対する専用のチャネル上で行われ得るか、または複数の装置に対するそのような信号を含むブロードキャストチャネルを用いて行われ得る。
【００５５】
（移動体装置によって実行される半永続のスケジューリングおよびＤＲＸ制御の方法）
そこで、図８を参照すると、移動体装置によって実行される、ダウンリンク送信を受信する方法がこれから述べられる。複数の起動期間のうちの各々の起動期間の間、受信機能が常に稼動し、複数の休止期間のうちの少なくとも一部の間、受信機能が停止するように、複数の起動期間および複数の休止期間の間（複数の起動期間は、適時に複数の休止期間と交互に起こる）、移動体装置が移動体装置の受信機能を制御することを有するステップ８−１においてその方法は開始する。公称基準に基づいて典型的に、受信機能は、全ての休止期間の間停止する。ステップ８−２において、移動体装置は、半永続のダウンリンク送信リソース上のダウンリンクパケットを受信し、半永続のダウンリンク送信リソースは、移動体装置に対して定義された複数の起動期間を用いて調整される。これらは、移動体装置または他のものを含むＶｏＩＰセッションに対するダウンリンクトークスパートの間のＶｏＩＰダウンリンクパケットであり得る。ステップ８−３および８−４は、移動体装置のための、各々のさらなるダウンリンクパケットに対して実行される。ステップ８−３において、複数の起動期間のうちの１つの間に、移動体装置は信号を受信し、その信号は、さらなるパケットを送信するためのさらなるダウンリンク送信リソースを定義し、さらなるダウンリンク送信リソースは、移動体装置に対して定義された複数の起動期間のうちの１つの中に発生するように割り当てられる。ステップ８−４において、複数の起動期間のうちの１つの間に、移動体装置は、さらなるダウンリンクリソース上のさらなるダウンリンクパケットを受信する。
【００５６】
移動体装置は、信号を受信し得、その信号は、移動体装置の複数の起動期間および休止期間を定義し、かつ／または、移動体装置の半永続のダウンリンク送信リソースを定義する。これは、移動体装置のためのそれぞれの専用のチャネルを渡って行われ得るか、または移動体装置および他の移動体装置のための信号情報を含むブロードキャストチャネルを渡って行われ得る。
【００５７】
そこで、図９を参照すると、移動体装置によって実行される、アップリンク送信を送信する方法がこれから述べられる。全ての複数の起動期間の間、送信機能が稼動し、複数の休止期間のうちの少なくとも一部の間、送信機能が停止するように、移動体装置の送信機能を制御することを有するステップ９−１においてその方法は開始する。ステップ９−２において、移動体装置は、半永続のアップリンク送信リソースを用いて、アップリンクパケット（ＶｏＩＰパケットまたは他のもの）を送信し、半永続のアップリンク送信リソースは、移動体装置に対して定義された複数の起動期間を用いて調整される。ステップ９−３、９−４、９−５は、移動体装置のための、各々のさらなるアップリンクパケットに対して実行される。ステップ９−３において、移動体装置に対して定義された複数の起動期間のうちの１つの間に、移動体装置は、さらなるアップリンクパケットを送信するためのさらなるアップリンク送信リソースに対する要求を送信する。ステップ９−４において、複数の起動期間のうちの１つの間に、移動体装置は信号を受信し、その信号は、さらなるアップリンク送信リソースを定義し、さらなるアップリンク送信リソースは、移動体装置に対して定義された複数の起動期間のうちの１つの間に発生するように割り当てられる。ステップ９−５において、複数の起動期間のうちの１つの間に、移動体装置は、さらなるアップリンク送信リソースを用いてさらなるアップリンクパケットを送信する。
【００５８】
移動体装置は、半永続のアップリンクリソースを定義する信号を受信し得る。一部の実施形態において、さらなるアップリンク割り当てに対する要求は、ランダムアクセスチャネルに基づくコンテンションを用いて送信される。
【００５９】
一部の実施形態において、移動体装置は、トランスミッタおよびレシーバを特徴として備えている無線機を有する。無線機が稼動している間、レシーバ機能は稼動しており、レシーバは、移動体装置のアンテナ（単数または複数）上で受信された信号を処理することを活動的に試みる。常に、レシーバが稼動することを、所与の移動体装置が必ずしも満足している必要はないが、レシーバは、時間期間にかかわらず電力を消費している。さらに、無線機が稼動する間、移動体装置は送信することができる。しかし、移動体装置が、何か送信するものを有しない限り、行われている稼動中の送信は全く存在せず、従って、稼動中の送信が存在するまで、わずかな送信電力消費が発生するか、または全く送信電力消費が発生しない。
【００６０】
ＮＡＣＫ／ＡＣＫ送信に言及する実施形態において、採用される特定のＮＡＣＫ／ＡＣＫ方式は、プリメンテーションの特定のものである。一部の実施形態は、ＡＣＫのみの方式を採用し、他の実施形態は、ＮＡＣＫのみの方式を採用し、一方でその他の実施形態は、ＡＣＫ群およびＮＡＣＫ群の両方を用いる。
【００６１】
（別の移動体装置）
そこで、図１０を参照すると、示されるのは、本明細書に述べられる移動体装置の方法のうちのいずれかをインプリメントし得る別の移動体装置のブロック図である。移動体装置１０１は、図２の移動体装置１０のインプリメントの特徴に類似するインプリメントの特徴に対する特定の構成要素とともに示される。移動体装置１０１が、例示目的のみのための非常に特殊な詳細とともに示されることは理解されるべきである。
【００６２】
処理装置（マイクロプロセッサ１２８）は、キーボード１１４とディスプレイ１２６との間に結合されるように概略的に示される。マイクロプロセッサ１２８は、図２に示される移動体装置１０のプロセッサ１６の特徴と類似する特徴を有するプロセッサの特定の例であり得る。マイクロプロセッサ１２８は、ユーザによるキーボード１１４上のキーの操作に応答して、ディスプレイ１２６の動作および移動体装置１０１の全体の動作を制御する。
【００６３】
移動体装置１０１は、筐体を有し、その筐体は、垂直に伸長されるか、または他のサイズおよび形（クラムシェル筐体構造を含む）を呈し得る。キーボード１１４は、モード選択キーか、またはテキスト入力と電話方式入力との切り換えのための他のハードウェアもしくはソフトウェアを含み得る。
【００６４】
マイクロプロセッサ１２８に加えて、移動体装置１０１の他の部分が概略的に示される。これらは、通信サブシステム１７０ならびに短距離通信サブシステム１０３ならびに一連のＬＥＤ群１０４および一連の補助のＩ／Ｏ装置１０６およびシリアルポート１０８およびスピーカー１１１およびマイクロホン１１２を含む他の入力／出力装置に加えてキーボード１１４およびディスプレイ１２６ならびにフラッシュメモリ１１６およびランダムアクセスメモリ（ＲＡＭ）１１８を含むメモリ装置ならびに様々な他の装置のサブシステム１２０を含む。移動体装置１０１は、バッテリー１２１を有し得、それにより、移動体装置１０１の活動中の要素に電力を供給する。一部の実施形態において、移動体装置１０１は、音声およびデータの通信機能を有する双方向の無線周波（ＲＦ）通信装置である。さらに、一部の実施形態において、移動体装置１０１は、インターネットを介して他のコンピュータシステムと通信する機能を有する。
【００６５】
一部の実施形態において、マイクロプロセッサ１２８によって実行されるオペレーティングシステムソフトウェアは、フラッシュメモリ１１６のような永続的な記憶装置に格納されるが、リードオンリーメモリ（ＲＯＭ）または類似のストレージのような他のタイプのメモリ装置に格納され得る。さらに、システムソフトウェア、特定の装置のアプリケーション、またはそれの一部は、ＲＡＭ１１８のような揮発性の記憶装置に一時的にロードされ得る。移動体装置１０１によって受け取られた通信信号はまた、ＲＡＭ１１８へ格納され得る。
【００６６】
マイクロプロセッサ１２８は、そのオペレーティングシステム機能に加えて、移動体装置１０１上のソフトウェアアプリケーションの実行を可能にする。音声通信モジュール１３０Ａおよびデータ通信モジュール１３０Ｂのような、基本的な装置動作を制御する一連の所定のソフトウェアアプリケーションは、製造の間に移動体装置１０１上にインストールされ得る。さらに、個人情報管理（ＰＩＭ）アプリケーションモジュール１３０Ｃはまた、製造の間に移動体装置１０１上にインストールされ得る。一部の実施形態において、ＰＩＭアプリケーションは、Ｅメール、カレンダーイベント、音声メール、予約および作業項目のようなデータ項目を組織および管理する能力がある。一部の実施形態において、ＰＩＭアプリケーションはまた、ワイヤレスネットワーク１１０を介してデータ項目を送信および受信する能力がある。一部の実施形態において、ホストコンピュータシステムに格納されたか、または関連した、装置ユーザの対応するデータ項目と、ＰＩＭアプリケーションによって管理されるデータ項目は、ワイヤレスネットワーク１１０を介してシームレスに統合され、同期され、アップデートされる。その上に、別のソフトウェアモジュール１３０Ｎとして説明されるさらなるソフトウェアモジュールは、製造の間にインストールされ得る。フラッシュメモリ１１６の１つ以上のモジュール１３０Ａ、１３０Ｂ、１３０Ｃ、１３０Ｎは、図２に示される移動体装置１０の無線機マネージャ１４のインプリメントの特徴と類似するインプリメントの特徴に対して構成され得る。
【００６７】
データおよび音声の通信を含む通信機能は、通信サブシステム１７０を介して、およびおそらく短距離通信サブシステム１０３を介して行われる。通信サブシステム１７０は、レシーバ１５０、トランスミッタ１５２、ならびに受信アンテナ１５４および送信アンテナ１５６として説明される１つ以上のアンテナを含む。さらに、通信サブシステム１７０はまた、デジタル信号プロセッサ（ＤＳＰ）１５８およびローカル発振器（ＬＯｓ）１６０のような処理モジュールを含む。トランスミッタ１５２およびレシーバ１５０を有する通信サブシステム１７０は、図２に示される移動体装置１０のワイヤレスアクセス無線機１２の特定の例のインプリメンテーションである。通信サブシステム１７０の特定の設計およびインプリメンテーションは、移動体装置１０１が動作するように意図される通信ネットワークに依存する。例えば、移動体装置１０１の通信サブシステム１７０は、Ｍｏｂｉｔｅｘ（登録商標）、ＤａｔａＴＡＣ（登録商標）または汎用パケット無線システム（ＧＰＲＳ）移動体データ通信ネットワークを用いて動作するように設計され得、先進移動電話サービス（ＡＭＰＳ）、時分割多元接続（ＴＤＭＡ）、符号分割多元接続（ＣＤＭＡ）、デジタル移動電話事業（ＰＣＳ）、世界移動電話規格（ＧＳＭ）などのような様々な音声通信ネットワークのうちのいずれかを用いて動作するようにまた設計され得る。通信サブシステム１７０はまた、８０２．１１Ｗｉ−Ｆｉネットワークおよび／または８０２．１６ＷｉＭＡＸネットワークを用いて動作するように設計され得る。他のタイプのデータおよび音声のネットワーク（両者は、分離および統合される）はまた、移動体装置１０１を用いて利用され得る。
【００６８】
ネットワークアクセスは、通信システムのタイプに依存して変化し得る。例えば、Ｍｏｂｉｔｅｘ（登録商標）およびＤａｔａＴＡＣ（登録商標）のネットワークにおいて、移動体装置は、各々の装置に関連した一意の個人識別番号（ＰＩＮ）を用いてネットワーク上に登録される。しかし、ＧＰＲＳネットワークにおいて、ネットワークアクセスは、典型的に、装置の加入者またはユーザと関連する。それゆえ、ＧＰＲＳ装置は、典型的に、Ｓｕｂｓｃｒｉｂｅｒ  Ｉｄｅｎｔｉｔｙ  Ｍｏｄｕｌｅ（ＳＩＭ）カードと一般に呼ばれる加入者識別モジュールを有する。
【００６９】
ネットワークの登録または活性化の手順が完了されると、移動体装置１０１は、通信ネットワーク１１０を渡って通信信号を送信および受信し得る。受信アンテナ１５４によって通信ネットワーク１１０から受信された信号は、レシーバ１５０に転送され、レシーバ１５０は、信号増幅、周波数のダウンコンバージョン、フィルタリング、チャネル選択などを備え、アナログデジタル変換をまた提供し得る。受信した信号のアナログデジタル変換は、ＤＳＰ１５８が復調およびデコーディングのような比較的複雑な通信機能を行うことを可能にする。同様の手法において、ネットワーク１１０へ送信される信号は、ＤＳＰ１５８によって処理され（例えば、変調およびエンコードされる）、次いで、デジタルアナログ変換と周波数のアップコンバージョンとフィルタリングと増幅と送信アンテナ１５６を介した通信ネットワーク１１０（または、ネットワーク群）への送信とのために、トランスミッタ１５２に提供される。
【００７０】
通信信号を処理することに加えて、ＤＳＰ１５８は、レシーバ１５０およびトランスミッタ１５２の制御を備える。例えば、レシーバ１５０およびトランスミッタ１５２における通信信号に印加されるゲインは、ＤＳＰ１５８にインプリメントされた自動ゲイン制御アルゴリズムを介して適応的に制御され得る。
【００７１】
データ通信モードにおいて、テキストメッセージまたはダウンロードされるウェブページのような受信した信号は、通信サブシステム１７０によって処理され、マイクロプロセッサ１２８に入力される。受信した信号は、次いで、ディスプレイ１２６への出力か、またはその代わりに一部の他の補助のＩ／Ｏ装置１０６への出力のためにマイクロプロセッサ１２８によってさらに処理される。装置のユーザはまた、タッチパッド、ロッカースイッチ、サムホイール、または一部の他のタイプの入力装置のようなキーボード１１４および／または一部の他の補助のＩ／Ｏ装置１０６を用いて、Ｅメールメッセージのようなデータ項目を作り得る。作られたデータ項目は、次いで、通信サブシステム１７０を介して通信ネットワーク１１０を渡って送信され得る。
【００７２】
音声通信モードにおいて、装置の全体の動作は、受信した信号がスピーカー１１１に出力されることと、送信のための信号がマイクロホン１１２によって生成されることとを除いて、データ通信モードに実質的に類似する。音声メッセージ録音サブシステムのような、代替の音声またはオーディオのＩ／Ｏサブシステムはまた、移動体装置１０１上にインプリメントされ得る。さらに、ディスプレイ１２６はまた、例えば、呼の相手の素性か、音声呼の継続期間か、または音声呼に関連した他の情報かを表示するための音声通信モードにおいて利用され得る。
【００７３】
短距離通信サブシステム１０３は、移動体装置１０１と他の近似のシステムまたは装置との間の通信を可能にし、そのシステムまたは装置は、必ずしも類似の装置である必要はない。例えば、短距離通信サブシステムは、赤外線装置および関連した回路および関連した構成要素か、または同様に動作可能なシステムおよび装置を用いた通信を備えるＢｌｕｅｔｏｏｔｈ（登録商標）かを含み得る。
【００７４】
本発明の適用についての数多くの変更およびバリエーションは、上記の技術に照らして可能である。その適用が、添付の特許請求の範囲の範囲内で、本明細書に特に述べられるようなものとは別の方法で実施され得ることは理解されるべきである。
【図１】
0005417496.tif 000002
【図２】
0005417496.tif 000003
【図３】
0005417496.tif 000004
【図４】
0005417496.tif 000005
【図５】
0005417496.tif 000006
【図６】
0005417496.tif 000007
【図７】
0005417496.tif 000008
【図８】
0005417496.tif 000009
【図９】
0005417496.tif 000010
【図１０】
0005417496.tif 000011